(57)【特許請求の範囲】
【請求項１】
所定領域に廃棄物処分場を構築する廃棄物処分場の構築方法であって、
前記所定領域のうち一部の領域を地盤改良する第一地盤改良工程と、
前記一部の領域の地盤の表面に遮水部を設ける第一遮水工程と、
前記一部の領域の前記遮水部の表面に保護層を設ける第一保護層造成工程と、
前記一部の領域の境界部に堰堤を設ける第一堰堤設置工程と、
前記所定領域のうち前記境界部に隣接する他の領域を地盤改良する第二地盤改良工程と、
前記他の領域の地盤の表面に遮水部を設ける第二遮水工程と、
前記他の領域の前記遮水部の表面に保護層を設ける第二保護層造成工程と、
前記他の領域における前記一部の領域側とは異なる境界部に堰堤を設ける第二堰堤設置工程と、
前記一部の領域に集水管を設置して水処理施設に接続する第一集水管設置工程と、
前記他の領域に集水管を設置する第二集水管設置工程と、
前記一部の領域の集水管と前記他の領域の集水管とを接続する集水管接続工程と、を備え、
前記第一堰堤設置工程は、前記第一保護層造成工程よりも後に行い、
前記第二堰堤設置工程は、前記第一堰堤設置工程よりも後且つ前記第二保護層造成工程よりも後に行い、
前記第一集水管設置工程で設置される前記集水管は、前記第一堰堤設置工程で設置される堰堤を貫通するように設けられ、
前記第二集水管設置工程で設置される前記集水管は、前記第二堰堤設置工程で設置される堰堤を貫通するように設けられていることを特徴とする廃棄物処分場の構築方法。
【発明の詳細な説明】
【技術分野】
【０００１】
本発明は、廃棄物処分場の構築方法に関するものである。
【背景技術】
【０００２】
従来から、廃棄物処分場では、廃棄物から浸出する様々な有害物質が地盤に浸透して、地下水汚染や地盤汚染が生じることを防止するために、地盤の上に遮水シート等を設けて、その上に廃棄物を堆積している（下記特許文献１参照）。
【０００３】
また、平地に廃棄物処分場を建設する場合には、地盤を掘削し、地盤の表面に遮水シートを敷設する。そして、廃棄物が遮水シートに直接接触して遮水シートに損傷等が生じないように、遮水シートの上に砂等の保護層を設け、その上に廃棄物を搬入している。一方、谷に廃棄物処分場を建設する場合には、法面を掘削した後に、平地の場合と同様に、遮水シートを敷設し、その上に保護層を設けている。
【０００４】
地盤が軟弱な場合には、廃棄物の自重により地盤が不等沈下したり、遮水シートに局部的な引張応力が生じて遮水シートが破断したりする虞がある。そこで、地盤が軟弱な場合には、地盤改良して地盤を安定化させる必要がある。
【０００５】
また、廃棄物から浸出した浸出水を集水する集水管を遮水シートの上に敷設し、下流側に設置された排水処理設備で水処理して、有害物質を取り除いて排水している。
【先行技術文献】
【特許文献】
【０００６】
【特許文献１】特許第５６６６７４２号公報
【発明の概要】
【発明が解決しようとする課題】
【０００７】
上記のように、廃棄物処分場を建設するために、地盤改良を行い、遮水シート、集水管及び保護層を設置するとともに排水処理施設を建設する等の工事を行う必要があり、工期が長期化していた。さらに、廃棄物処分場が大規模であると、工期がさらに長期化していた。このため、廃棄物をすみやかに処分することができないという問題点がある。
【０００８】
そこで、本発明は、上記事情に鑑みてなされたものであり、廃棄物処分場の供用を早期に開始することが可能な廃棄物処分場の構築方法を提供する。
【課題を解決するための手段】
【０００９】
上記目的を達成するために、本発明は以下の手段を採用している。
すなわち、本発明に係る廃棄物処分場の構築方法は、所定領域に廃棄物処分場を構築する廃棄物処分場の構築方法であって、前記所定領域のうち一部の領域を地盤改良する第一地盤改良工程と、前記一部の領域の地盤の表面に遮水部を設ける第一遮水工程と、前記一部の領域の前記遮水部の表面に保護層を設ける第一保護層造成工程と、前記一部の領域の境界部に堰堤を設ける第一堰堤設置工程と、前記所定領域のうち前記境界部に隣接する他の領域を地盤改良する第二地盤改良工程と、前記他の領域の地盤の表面に遮水部を設ける第二遮水工程と、前記他の領域の前記遮水部の表面に保護層を設ける第二保護層造成工程と、前記他の領域における前記一部の領域側とは異なる境界部に堰堤を設ける第二堰堤設置工程と、前記一部の領域に集水管を設置して水処理施設に接続する第一集水管設置工程と、前記他の領域に集水管を設置する第二集水管設置工程と、前記一部の領域の集水管と前記他の領域の集水管とを接続する集水管接続工程と、を備え、前記第一堰堤設置工程は、前記第一保護層造成工程よりも後に行い、前記第二堰堤設置工程は、前記第一堰堤設置工程よりも後且つ前記第二保護層造成工程よりも後に行い、前記第一集水管設置工程で設置される前記集水管は、前記第一堰堤設置工程で設置される堰堤を貫通するように設けられ、前記第二集水管設置工程で設置される前記集水管は、前記第二堰堤設置工程で設置される堰堤を貫通するように設けられていることを特徴とする。
【００１０】
このように構成された廃棄物処分場の構築方法では、廃棄物処分場が構築される所定領域のうち一部の領域において、地盤改良する第一地盤改良工程、地盤の表面に遮水部を設ける第一遮水工程、遮水部の表面に保護層を設ける第一保護層設置工程、及び境界部に堰堤を設ける第一堰堤設置工程を実施すれば、所定領域のうち一部の領域において廃棄物処分場の供用を先行して開始することができる。また、一部の領域において廃棄物処分場の供用を開始しつつ、他の領域において、地盤改良する第二地盤改良工程、地盤の表面に遮水部を設ける第二遮水工程、遮水部の表面に保護層を設ける第二保護層設置工程、及び一部の領域側とは異なる境界部に堰堤を設ける第二堰堤設置工程を実施すれば、他の領域においても、廃棄物処分場の供用を開始することができる。つまり、将来的に廃棄物処分場が設置される所定領域のうち一部の領域を他の領域よりも先行して廃棄物処分場の供用を開始することができるため、廃棄物処分場の供用を早期に開始することができる。
また、第一集水管設置工程で一部の領域に集水管を設置して水処理施設に接続し、第二集水管設置工程で他の領域に集水管を設置し、集水管接続工程で一部の領域の集水管と他の領域の集水管とを接続するため、他の領域の集水管を流通する浸出水を、一部の領域の集水管に流通させて集水することができる。よって、他の領域の集水管を水処理施設側に直接接続する必要がないため、大規模な工事を伴わない。
【発明の効果】
【００１３】
本発明に係る廃棄物処分場の構築方法によれば、廃棄物処分場の供用を早期に開始することができる。
【図面の簡単な説明】
【００１４】
【図１】本発明の一実施形態に係る廃棄物処分場の土地の構成を示す模式的な平面図である。
【図２】本発明の一実施形態に係る廃棄物処分場の構築方法の第一地盤改良工程を説明するための図である。
【図３】本発明の一実施形態に係る廃棄物処分場の構築方法の第一遮水工程を説明するための図である。
【図４】本発明の一実施形態に係る廃棄物処分場の構築方法の第一集水管設置工程、集水管接続工程、第一保護層造成工程及び第一堰堤設置工程を説明するための図である。
【図５】本発明の一実施形態に係る廃棄物処分場の構築方法の第二遮水工程、第二集水管設置工程、第二保護層造成工程及び第二堰堤設置工程を説明するための図である。
【図６】本発明の一実施形態の変形例に係る廃棄物処分場の構築方法の第一地盤改良工程を説明するための図である。
【図７】本発明の一実施形態の変形例に係る廃棄物処分場の構築方法の第一遮水工程を説明するための図である。
【図８】本発明の一実施形態の変形例に係る廃棄物処分場の構築方法の第一集水管設置工程、第一保護層造成工程及び第一堰堤設置工程を説明するための図である。
【図９】本発明の一実施形態の変形例に係る廃棄物処分場の構築方法の第二遮水工程、第二集水管設置工程、第二保護層造成工程及び第二堰堤設置工程を説明するための図である。
【発明を実施するための形態】
【００１５】
本発明の一実施形態に係る廃棄物処分場の構築方法について、図１から図５を用いて説明する。
図１は、本発明の一実施形態に係る廃棄物処分場の土地の構成を示す模式的な平面図である。
図１に示すように、本実施形態では、二点鎖線で示す谷底Ａ１が形成された土地（所定領域）Ｘに、廃棄物処分場を建設するものである。谷の斜面Ａ２に沿って、谷を囲むように切り回し放水路Ｐを先行して施工する。切り回し放水路Ｐは、土地Ｘ内に上流側の流入河川Ｑの水が入らないようにするためのものである。
【００１６】
図２は、第一地盤改良工程を説明するための図である。
まず、図２に示すように、土地Ｘのうち下流側の一部の領域Ｘ１において、地盤Ｇ１を安定化させる第一地盤改良工程を行う。
【００１７】
次に、第一遮水工程を行う。
図３は、第一遮水工程を説明するための図である。
図３に示すように、領域Ｘ１の下流側に堰堤１及び水処理施設２を設置し、堰堤１から地盤改良した領域Ｘ１の地盤Ｇ１の表面にわたって、遮水シート（遮水部）３を敷設する。遮水シート３は、例えば熱可塑性エラストマー等の樹脂素材からなる防水性を有するシートを採用することができる。また、堰堤１の下流側には、水処理施設２を設置し、堰堤１と水処理施設２との間に水抜き管４を設置しておく。水処理施設２は、廃棄物から浸出した浸出水が後述する集水管５等により導入され、浄化して有害物質等を取り除いた後、所定の水域に放流する。
【００１８】
次に、第一集水管設置工程を行う。
図４は、第一集水管設置工程、第一保護層造成工程及び第一堰堤設置工程を説明するための図である。
図４に示すように、領域Ｘ１の谷底Ａ１に沿って有孔管からなる集水管５を設置し、水処理施設２に接続された水抜き管４と接続する。
【００１９】
次に、第一保護層造成工程を行う。
領域Ｘ１において、遮水シート３の上に保護層６を設け、保護層６内に集水管５を埋設する。保護層６として、不織布等の保護マットや砂等を採用することができる。
【００２０】
次に、第一堰堤設置工程を行う。
領域Ｘ１の上流側の境界部Ｙ１に仮堰堤（堰堤）７を設置し、仮堰堤７の少なくとも下流側の側面７Ａに仮堰堤用シート８を敷設する。仮堰堤用シート８は、廃棄物から浸み出した有害物質が隣接する上流側の領域Ｘ２に浸出するのを防止するものである。この際に、集水管５を仮堰堤７に貫通させ、上流側の端部５Ｘを封鎖しておく。
なお、領域Ｘ１に保護層６を設ける作業を下流側から行いつつ、領域Ｘ１の上流側に仮堰堤７を設置するように、第一保護層造成工程と第一堰堤設置工程とを同時進行で行ってもよい。
これにより、領域Ｘ１では、廃棄物（図５参照）Ｗ１の搬入が可能となる。
【００２１】
次に、領域Ｘ１の境界部Ｙ１の上流側の領域Ｘ２において、領域Ｘ１と同様の作業を行う。
まず、領域Ｘ２において、地盤Ｇ２を改良する第二地盤改良工程を行う。
【００２２】
図５は、第二遮水工程、第二集水管設置工程、集水管接続工程、第二保護層造成工程及び第二堰堤設置工程を説明するための図である。
次に第二遮水工程を行う。
図５に示すように、遮水シート１３を領域Ｘ２の地盤Ｇ２の表面に設置し、下流側の端部を領域Ｘ１に設置された遮水シート３と溶着等により接続する。
【００２３】
次に、領域Ｘ２の谷底Ａ１に沿って集水管１５を設置する第二集水管設置工程を行う。その後、下流側の端部を仮堰堤７に貫通させた集水管５と集水管１５とを接続する集水管接続工程を行う。
【００２４】
次に、領域Ｘ２において、遮水シート１３の上に保護層１６を設け、保護層１６内に集水管１５を埋設する第二保護層造成工程を行う。
【００２５】
次に、第二堰堤設置工程を行う。
領域Ｘ２の上流側の境界部Ｙ２に仮堰堤１７を設置し、仮堰堤１７の少なくとも下流側の側面１７Ａに仮堰堤用シート１８を敷設する。集水管１５を仮堰堤１７に貫通させ、上流側の端部１５Ｘを封鎖しておく。
これにより、領域Ｘ２では、廃棄物（不図示）の搬入が可能となる。次に、領域Ｘ２の上流側で、同様に作業を繰り返すことにより、下流側の領域から順次廃棄物処分場の供用を開始することができる。
【００２６】
このように構成された廃棄物処分場の構築方法では、廃棄物処分場が構築される土地Ｘのうち一部の領域Ｘ１において、地盤Ｇ１を改良する第一地盤改良工程、地盤Ｇ１の表面に遮水シート３を設ける第一遮水工程、遮水シート３の表面に保護層６を設ける第一保護層設置工程、及び境界部Ｙ１に仮堰堤７を設ける第一堰堤設置工程を実施すれば、領域Ｘ１において廃棄物処分場の供用を先行して開始することができる。また、領域Ｘ１において廃棄物処分場の供用を開始しつつ、他の領域Ｘ２において、地盤Ｇ２を改良する第二地盤改良工程、地盤Ｇ２の表面に遮水シート１３を設ける第二遮水工程、遮水シート１３の表面に保護層１６を設ける第二保護層設置工程、及び領域Ｘ１側とは異なる境界部Ｙ２に仮堰堤１７を設ける第二堰堤設置工程を実施すれば、領域Ｘ２において、廃棄物処分場の供用を開始することができる。つまり、将来的に廃棄物処分場が設置されるＸのうち領域Ｘ１を領域Ｘ２よりも先行させて廃棄物処分場の供用を開始することができるため、廃棄物処分場の供用を早期に開始することができる。
【００２７】
また、第一集水管設置工程で領域Ｘ１に集水管５を設置して水処理施設２側に接続し、第二集水管設置工程で領域Ｘ２に集水管１５を設置し、集水管接続工程で集水管５と集水管１５とを接続するため、領域Ｘ２の集水管１５を流通する浸出水を、領域Ｘ１の集水管５に流通させて集水することができる。よって、他の領域Ｘ２の集水管１５を水処理施設２側に直接接続する必要がないため、大規模な工事を伴わない。
【００２８】
また、廃棄物処分場を一部の領域ずつ供用していくが、施工の初期の段階で土地Ｘの最下流側に水処理施設２を設置して、各領域の廃棄物から浸出した浸出水を水処理施設２に導入することで、複数の水処理施設２を設置する必要がない。
【００２９】
次に、上記に示す実施形態の変形例として、上流側から順次廃棄物処分場の供用を開始する方法について、主に図６から図８を用いて説明する。
なお、以下の変形例において、前述した実施形態で用いた部材と同一の部材には同一の符号を付して、その説明を省略する。
【００３０】
図６は、第一地盤改良工程を説明するための図である。
まず、図１に示すように、上記に示す実施形態と同様に、土地Ｘにおいて切り回し放水路Ｐを施工した後、図６に示すように、上流側の領域Ｘ１１で地盤Ｇ１１を安定化させるために第一地盤改良工程を行う。
【００３１】
図７は、第一遮水工程を説明するための図である。
次に、第一遮水工程を行う。
図７に示すように、領域Ｘ１１の上流側に堰堤１１を設置し、堰堤１１から地盤改良した領域Ｘ１１の地盤Ｇ１１の表面にわたって、遮水シート２３を敷設する。また、土地Ｘの最も下流側に水処理施設２を設置しておく。
【００３２】
図８は、第一集水管設置工程、第一保護層造成工程及び第一堰堤設置工程を説明するための図である。
次に、図８に示すように、領域Ｘ１１の谷底Ａ１に沿って集水管２５を設置する第一集水管設置工程を行う。
【００３３】
次に、領域Ｘ１１において、遮水シート２３の上に保護層２６を設け、保護層２６内に集水管２５を埋設する第一保護層造成工程を行う。
【００３４】
次に、第一堰堤設置工程を行う。
領域Ｘ１１の下流側の境界部Ｙ１１に仮堰堤２７を設置し、仮堰堤２７の少なくとも上流側の側面２７Ａに仮堰堤用シート２８を敷設する。この際に、仮堰堤２７に集水管２５に接続された揚水井戸（不図示。以下同じ。）を設置しておき、揚水井戸で汲み出した水を、土地Ｘの外周部に設置した配管（不図示。以下同じ。）を経由させて、水処理施設２に導入できるようにしておく。
なお、領域Ｘ１１に保護層２６を設ける作業を上流側から行いつつ、領域Ｘ１１の下流側に仮堰堤２７を設置するように、第一保護層造成工程と第一堰堤設置工程とを同時進行で行ってもよい。
これにより、領域Ｘ１１では、廃棄物Ｗ２１（図９参照）の搬入が可能となる。
【００３５】
次に、領域Ｘ１１の境界部Ｙ１１の下流側の領域Ｘ１２において、領域Ｘ１１と同様の作業を行う。
まず、領域Ｘ１２において、地盤Ｇ１２を改良する第二地盤改良工程を行う。
【００３６】
次に第二遮水工程を行う。
図９は、第二遮水工程、第二集水管設置工程、第二保護層造成工程及び第二堰堤設置工程を説明するための図である。
図９に示すように、遮水シート３３を領域Ｘ１２の地盤Ｇ１２の表面に設置し、上流側の端部を領域Ｘ１１に設置された遮水シート２３と溶着等により接続する。
【００３７】
次に、領域Ｘ１２の谷底Ａ１に沿って集水管３５を設置する第二集水管設置工程を行う。
【００３８】
次に、領域Ｘ１２において、遮水シート３３の上に保護層３６を設け、保護層３６内に集水管３５を埋設する第二保護層造成工程を行う。
【００３９】
次に、第二堰堤設置工程を行う。
領域Ｘ１２の下流側の境界部Ｙ１２に仮堰堤３７を設置し、仮堰堤３７の少なくとも上流側の側面３７Ａに仮堰堤用シート３８を敷設する。この際に、仮堰堤３７に集水管３５に接続された揚水井戸（不図示。以下同じ。）を設置しておき、揚水井戸で汲み出した水を、土地Ｘの外周部に設置された配管を経由させて、水処理施設２に導入できるようにしておく。
これにより、領域Ｘ１２では、廃棄物（不図示）の搬入が可能となる。次に、領域Ｘ１２の下流側で、同様に作業を繰り返すことにより、上流側の領域から順次廃棄物処分場の供用を開始することができる。
【００４０】
なお、上述した実施の形態において示した各構成部材の諸形状や組み合わせ等は一例であって、本発明の主旨から逸脱しない範囲において設計要求等に基づき種々変更可能である。
【００４１】
例えば、上記に示す実施形態及び変形例では、土地Ｘの下流側または上流側から廃棄物処分場の供用を開始する例を挙げて説明したが、本発明はこれに限られない。供用を開始する箇所は適宜選択可能であり、例えば土地Ｘの中流側から上流（下流）側に向かって供用を開始した後に、中流側から下流（上流）側に向かって供用を開始してもよい。
【符号の説明】
【００４２】
１，１１…堰堤
２…水処理施設
３，１３，２３，３３…遮水シート
４…水抜き管
５，１５，２５，３５…集水管
６，１６，２６，３６…保護層
７，１７，２７，３７…仮堰堤
Ａ１…谷底
Ａ２…斜面
Ｇ１，Ｇ２，Ｇ１１，Ｇ１２地盤
Ｗ１，Ｗ２１…廃棄物
Ｙ１，…境界部
Ｘ…土地（所定領域）
Ｘ１，Ｘ１１…一部の領域
Ｘ２，Ｘ１２…他の領域
【図１】
0006764588.tif 000002
【図２】
0006764588.tif 000003
【図３】
0006764588.tif 000004
【図４】
0006764588.tif 000005
【図５】
0006764588.tif 000006
【図６】
0006764588.tif 000007
【図７】
0006764588.tif 000008
【図８】
0006764588.tif 000009
【図９】
0006764588.tif 000010